(57)【要約】【課題】現在地点に応じた適切なローカル放送局を自動的に選局すること。【解決手段】携帯電話端末１０１の現在地点情報を情報処理装置１０２に送信し、その結果、現在地点情報によって特定される地点が属する放送エリアのローカル放送局の放送周波数に関する情報を情報処理装置１０２から受信する。このあと、端末本体の受信周波数を受信した放送周波数に関する情報によって特定される放送周波数に設定する。これにより、ユーザの面倒な作業を必要とすることなく、現在地点に応じたローカル放送局を自動的に選局することができる。【選択図】図１
2008219112.tif 000002
【特許請求の範囲】
【請求項１】
各地に点在するローカル放送局の放送エリア内でローカル放送波を受信可能であり、前記ローカル放送局の放送エリアおよび放送周波数に関する情報を管理する情報処理装置と相互に通信可能な移動体通信端末に実行させる選局プログラムであって、
前記端末本体の現在地点情報を前記情報処理装置に送信させる送信工程と、
前記送信工程によって前記現在地点情報が送信された結果、当該現在地点情報によって特定される地点が属する放送エリアのローカル放送局の放送周波数に関する情報を前記情報処理装置から受信させる受信工程と、
前記端末本体のチューナーを制御して、前記受信工程によって前記放送周波数に関する情報が受信された場合、前記端末本体の受信周波数を前記放送周波数に設定させる設定工程と、
をコンピュータに実行させることを特徴とする選局プログラム。
【請求項２】
前記受信工程は、
さらに、前記ローカル放送局の放送周波数の優先度に関する情報を受信させ、
前記設定工程は、
前記受信工程によって受信された優先度に関する情報に基づいて、前記端末本体の受信周波数を前記放送周波数に設定させることを特徴とする請求項１に記載の選局プログラム。
【請求項３】
前記受信工程によって受信された放送周波数に関する情報を出力させる出力工程と、
前記出力工程によって前記放送周波数に関する情報が出力された結果、当該放送周波数に関する情報によって特定される複数の放送周波数の中から任意の放送周波数の選択を受け付けさせる選択工程と、前記コンピュータに実行させ、
前記設定工程は、
前記端末本体の受信周波数を前記選択工程によって選択された放送周波数に設定することを特徴とする請求項１に記載の選局プログラム。
【請求項４】
請求項１〜３のいずれか一つに記載の選局プログラムを記録した前記コンピュータに読み取り可能な記録媒体。
【請求項５】
各地に点在するローカル放送局の放送エリア内でローカル放送波を受信可能であり、前記ローカル放送局の放送エリアおよび放送周波数に関する情報を管理する情報処理装置と相互に通信可能な移動体通信端末において、
前記端末本体の受信周波数を設定する設定手段と、
前記端末本体の現在地点情報を前記情報処理装置に送信する送信手段と、
前記送信手段によって前記現在地点情報が送信された結果、当該現在地点情報によって特定される地点が属する放送エリアのローカル放送局の放送周波数に関する情報を前記情報処理装置から受信する受信手段と、
前記受信手段によって前記放送周波数に関する情報が受信された場合、前記設定手段を制御して、前記端末本体の受信周波数を前記放送周波数に設定する制御手段と、
を備えることを特徴とする移動体通信端末。
【請求項６】
各地に点在するローカル放送局の放送エリア内でローカル放送波を受信可能な移動体通信端末から前記ローカル放送局の放送エリアおよび放送周波数に関する情報を管理する情報処理装置に前記移動体通信端末の現在地点情報を送信する送信工程と、
前記送信工程によって前記現在地点情報が送信された結果、当該現在地点情報によって特定される地点が属する放送エリアのローカル放送局の放送周波数に関する情報を前記情報処理装置から受信する受信工程と、
前記受信工程によって前記放送周波数に関する情報が受信された場合、前記端末本体の受信周波数を設定する設定手段を制御して、前記端末本体の受信周波数を前記放送周波数に設定する設定工程と、
を含んだことを特徴とする選局方法。
【発明の詳細な説明】
【技術分野】
【０００１】
この発明は、微弱電波によるローカル放送を放送しているローカル放送局を選局する選局プログラム、情報処理プログラム、該プログラムを記録した記録媒体、移動体通信端末、情報処理装置、選局方法および情報処理方法に関する。
【背景技術】
【０００２】
近年、微弱電波を使用したローカル放送を免許申請することなく放送できるようになった。これにともない、ローカル放送を利用して商品やサービスなどの宣伝広告をおこなう商業施設が増加している。特に、ワンセグ放送などの移動体向けのローカル放送を利用して商品やサービスなどの宣伝広告をおこなう放送システムが検討されている。
【０００３】
一方で、実際にローカル放送を視聴させるためには、そのローカル放送局の放送周波数（チャンネル）を視聴者に認識させ、かつ、視聴者が使用するチューナー付きの携帯電話端末などで受信する受信周波数を、そのローカル放送局の放送周波数に合わせる必要がある。
【０００４】
そこで、所定のローカル放送局に属するローカル放送チャンネルの放送周波数と、ローカル放送チャンネルの地理的な範囲を示す位置情報と、を含むメモリテーブルを端末機に設け、そのメモリテーブルを参照することにより、現在位置で視聴可能なローカル放送を放送するローカル放送局の放送周波数を特定し、端末機の受信周波数をその放送周波数に自動的に設定する技術が開示されている（たとえば、下記特許文献１参照。）。
【０００５】
【特許文献１】特開２００６−１４１０３４号公報
【発明の開示】
【発明が解決しようとする課題】
【０００６】
しかしながら、上述した従来技術の特許文献１によれば、新しいローカル放送局が開設された場合などには、その情報がメモリテーブルに記憶されていないため、結果的に、視聴者がローカル放送局の放送周波数を認識し、かつ、端末機の受信周波数をその放送周波数に合わせるなどの面倒な作業が必要となるという問題があった。
【０００７】
また、メモリテーブルの記憶内容を更新することにより、新設されたローカル放送局に対応することも考えられるが、今後、ローカル放送を放送するローカル放送局が頻繁に新設されると、メモリテーブルの記憶内容を適切な状態に維持することが難しくなることが想定される。さらに、新設されるローカル放送局の増加にともなってメモリテーブルに記憶される記憶内容が著しく増大してしまうという問題があった。
【０００８】
また、動的に変化する視聴者の嗜好や状況に応じてメモリテーブルの記憶内容を変化させることが難しかった。このため、視聴者にとって興味のない、あるいは、役に立たない無駄なローカル放送を放送してしまい、視聴者が必要としている情報をリアルタイムに提供することができない場合があるという問題があった。
【０００９】
この発明は、上述した従来技術による問題点を解消するため、現在地点に応じた適切なローカル放送局を自動的に選局できる選局プログラム、情報処理プログラム、該プログラムを記録した記録媒体、移動体通信端末、情報処理装置、選局方法および情報処理方法を提供することを目的とする。
【課題を解決するための手段】
【００１０】
上述した課題を解決し、目的を達成するため、この発明にかかる選局プログラム、該プログラムを記録した記録媒体、移動体通信端末および選局方法は、各地に点在するローカル放送局の放送エリアおよび放送周波数に関する情報を管理する情報処理装置とデータ通信をおこなう選局プログラム、該プログラムを記録した記録媒体、移動体通信端末および選局方法であって、前記放送エリア内でローカル放送波を受信可能な移動体通信端末の現在地点情報を前記情報処理装置に送信し、前記現在地点情報が送信された結果、当該現在地点情報によって特定される地点が属する放送エリアのローカル放送局の放送周波数に関する情報を前記情報処理装置から受信し、前記端末本体のチューナーを制御して、前記放送周波数に関する情報が受信された場合、前記端末本体の受信周波数を前記放送周波数に設定することを特徴とする。
【００１１】
この発明によれば、移動体通信端末の受信周波数を当該端末本体の現在地点が属する放送エリアのローカル放送局の放送周波数に自動的に設定することができる。
【００１２】
また、上記発明において、さらに、前記ローカル放送局の放送周波数の優先度に関する情報を受信し、その優先度に関する情報に基づいて、前記端末本体の受信周波数を前記放送周波数に設定することとしてもよい。
【００１３】
この発明によれば、移動体通信端末の現在地点が属する放送エリアのローカル放送局の放送周波数が複数存在する場合、端末本体の受信周波数を各放送周波数の優先度に応じた最適な放送周波数に自動的に設定することができる。
【００１４】
また、上記発明において、受信された放送周波数に関する情報を出力し、前記放送周波数に関する情報が出力された結果、当該放送周波数に関する情報によって特定される複数の放送周波数の中から任意の放送周波数の選択を受け付け、前記端末本体の受信周波数を選択された放送周波数に設定することとしてもよい。
【００１５】
この発明によれば、移動体通信端末の現在地点が属する放送エリアのローカル放送局の放送周波数が複数存在する場合、その複数の放送周波数のうち任意の放送周波数を端末本体の受信周波数に設定することができる。
【００１６】
また、上記発明において、前記ローカル放送局を選局する選局指示を受け付け、前記選局指示を受け付けた場合、前記現在地点情報を前記情報処理装置に送信することとしてもよい。
【００１７】
この発明によれば、現在地点で視聴可能なローカル放送を選局する選局指示を任意のタイミングでおこなうことができる。
【００１８】
また、上記発明において、前記端末本体の識別情報と関連付けて前記現在地点情報を前記情報処理装置に送信し、前記識別情報によって特定され、かつ、前記現在地点情報によって特定される放送周波数に関する情報を受信することとしてもよい。
【００１９】
この発明によれば、利用者の年齢、性別、嗜好などに応じた放送内容のローカル放送を放送しているローカル放送局の放送周波数に関する情報を受信することができる。
【００２０】
また、この発明にかかる情報処理プログラム、該プログラムを記録した記録媒体、情報処理装置および情報処理方法は、各地のローカル放送局の放送エリア内でローカル放送波を受信可能な移動体通信端末とデータ通信をおこなう情報処理プログラム、該プログラムを記録した記録媒体、情報処理装置および情報処理方法であって、前記移動体通信端末から当該移動体通信端末の現在地点情報を受信し、受信された現在地点情報を用いて前記ローカル放送局の放送エリアを特定する地点情報と、前記ローカル放送局の放送周波数とを関連付けて記憶するテーブルを参照することにより、前記現在地点情報によって特定される地点が属する放送エリアのローカル放送局の放送周波数に関する情報を読み出し、読み出された放送周波数に関する情報を前記移動体通信端末に送信することを特徴とする。
【００２１】
この発明によれば、移動体通信端末の現在地点で受信可能なローカル放送局の放送周波数に関する情報を移動体通信端末に送信することができる。
【００２２】
また、上記発明において、さらに、前記現在地点情報によって特定される地点が属する放送エリアのローカル放送局の放送周波数の優先度に関する情報を読み出し、読み出された放送周波数に関する情報および優先度に関する情報を前記移動体通信端末に送信することとしてもよい。
【００２３】
この発明によれば、移動体通信端末の現在地点で受信可能なローカル放送波の放送周波数に関する情報を、その放送周波数の優先度に関する情報とともに移動体通信端末に送信することができる。
【００２４】
また、上記発明において、前記移動体通信端末の識別情報が関連付けられた当該移動体通信端末の現在地点情報を受信し、受信された識別情報によって特定され、かつ、前記現在地点情報によって特定される放送周波数に関する情報を前記移動体通信端末に送信することとしてもよい。
【００２５】
この発明によれば、利用者の年齢、性別、嗜好などに応じた放送内容のローカル放送を放送しているローカル放送局の放送周波数に関する情報を送信することができる。
【００２６】
また、上記発明において、前記移動体通信端末の識別情報をＰＯＳシステムのホストコンピュータ装置に送信することとしてもよい。
【００２７】
この発明によれば、ローカル放送の視聴者が使用している移動体通信端末の識別情報をＰＯＳシステムのホストコンピュータに提供することができる。
【００２８】
また、この発明にかかる情報処理プログラム、該プログラムを記録した記録媒体、情報処理装置および情報処理方法は、ローカル放送局の放送エリア内に存在する商業施設に関する宣伝広告を放送内容とするローカル放送の放送中に、前記商業施設内で販売された商品の販売数量を取得し、取得された商品の販売数量に基づいて、当該商品の宣伝広告を放送内容とするローカル放送を継続して放送するか否かを判定し、その判定結果を前記ローカル放送の放送内容を管理するコンピュータ装置に送信することを特徴とする。
【００２９】
この発明によれば、ローカル放送を利用した商業施設に関する宣伝広告の宣伝効果の有無を判定することができ、その判定結果をローカル放送の放送内容を管理する管理者に提供することができる。
【００３０】
また、上記発明において、前記ローカル放送局の放送周波数に関する情報の送信要求を受け付ける情報処理装置から前記送信要求の送信元の移動体通信端末の識別情報を受信し、前記商品と当該商品を購入した購入者の移動体通信端末の識別情報とが関連付けられた前記商品の販売数量を取得し、受信された送信元の移動体通信端末の識別情報と、取得された購入者の移動体通信端末の識別情報とを用いて、前記送信元の移動体通信端末の利用者によって購入された商品の販売数量を算出することにより、前記商品の宣伝広告を放送内容とするローカル放送を継続して放送するか否かを判定することとしてもよい。
【００３１】
この発明によれば、実際にローカル放送の視聴者が購入した商品の販売数量からローカル放送を利用した商業施設に関する宣伝広告の宣伝効果の有無を判定することができる。
【００３２】
また、上記発明において、前記送信元の移動体通信端末の利用者によって購入された商品の販売数量を多い順に並び替えることにより、前記商業施設内で販売された商品の商品リストを作成し、作成された商品リストを前記コンピュータ装置に送信することとしてもよい。
【００３３】
この発明によれば、商業施設内で販売されている複数の商品のうち、ローカル放送を利用した宣伝広告の宣伝効果が高かった商品の商品リストをローカル放送の放送内容を管理する管理者に提供することができる。
【発明の効果】
【００３４】
本発明にかかる選局プログラム、情報処理プログラム、該プログラムを記録した記録媒体、移動体通信端末、情報処理装置、選局方法および情報処理方法によれば、現在地点に応じた適切なローカル放送局を自動的に選局できるという効果を奏する。
【発明を実施するための最良の形態】
【００３５】
以下に添付図面を参照して、この発明にかかる選局プログラム、情報処理プログラム、該プログラムを記録した記録媒体、移動体通信端末、情報処理装置、選局方法および情報処理方法の好適な実施の形態を詳細に説明する。
【００３６】
（ローカル放送システムのシステム構成）
まず、この発明の実施の形態にかかるローカル放送システムのシステム構成について説明する。図１は、この発明の実施の形態にかかるローカル放送システム１００のシステム構成を示す説明図である。図１において、ローカル放送システム１００は、携帯電話端末１０１と、情報処理装置１０２と、ホストコンピュータ１０３とが、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）および無線通信などのネットワーク１４０を介して相互に交信可能に接続されている。
【００３７】
ショッピングモール１５０は、複数の店舗からなる商業施設である。ショッピングモール１５０内には、微弱電波を使用したローカル放送を放送するローカル放送局が設置されている。このローカル放送局からは、ショッピングモール１５０に関する宣伝広告を放送内容とするローカル放送が放送されている。たとえば、ショッピングモール１５０内の食料品店で販売されている商品のセール情報や在庫情報などの宣伝広告が放送される。
【００３８】
ショッピングモール１５０内に設置されているようなローカル放送局は、各地に点在している。ユーザは、各ローカル放送局の放送エリア内において、受信装置（たとえば、携帯電話端末１０１）によってローカル放送波を受信し、放送中のローカル放送を視聴することができる。
【００３９】
携帯電話端末１０１は、無線通信を利用してデータ通話可能な可搬型のコンピュータ装置である。また、携帯電話端末１０１は、ローカル放送局から放送されるローカル放送波を受信し、ラジオ放送またはテレビジョン放送を再生する機能を有している。
【００４０】
情報処理装置１０２は、周波数テーブル１２０を有しており、ローカル放送局の放送周波数に関する情報の送信要求を受け付けるコンピュータ装置である。情報処理装置１０２は、放送周波数に関する情報の送信要求を受け付けると、その送信要求の送信元のクライアント端末（たとえば、携帯電話端末１０１）の現在位置が属する放送エリアのローカル放送局の放送周波数に関する情報をクライアント端末に送信する。周波数テーブル１２０については図３を用いて後述する。
【００４１】
ホストコンピュータ１０３は、販売情報ＤＢ１３０を備えており、ショッピングモール１５０内の各店舗に設置されたＰＯＳシステムの端末装置（不図示）から送信されてくる商品の販売情報を管理するコンピュータ装置である。また、ホストコンピュータ１０３は、放送中の商品の宣伝効果に応じて、ローカル放送を継続して放送するか否かを判定する機能を有している。販売情報ＤＢ１３０については図４を用いて後述する。
【００４２】
ここでは、ショッピングモール１５０内のすべての店舗に関する宣伝広告を一つのローカル放送局によって一括して管理することとしたが、店舗ごとのローカル放送局を設置し、各店舗に関する宣伝広告を個別に管理することとしてもよい。
【００４３】
また、図１において、情報処理装置１０２とホストコンピュータ１０３とを別体に設ける構成としたが、情報処理装置１０２およびホストコンピュータ１０３の機能を有する単体の情報処理装置によって実現することとしてもよい。たとえば、ホストコンピュータ１０３が情報処理装置１０２の機能を有することとしてもよい。
【００４４】
（コンピュータ装置のハードウェア構成）
まず、この発明の実施の形態にかかるコンピュータ装置のハードウェア構成について説明する。図２は、この発明の実施の形態にかかるコンピュータ装置のハードウェア構成を示すブロック図である。コンピュータ装置は、図１に示した携帯電話端末１０１、情報処理装置１０２およびホストコンピュータ１０３に相当する。
【００４５】
図２において、コンピュータ装置は、コンピュータ本体２１０と、入力装置２２０と、出力装置２３０と、から構成されており、不図示のルータやモデムを介してＬＡＮ，ＷＡＮやインターネットなどのネットワーク１４０に接続可能である。
【００４６】
コンピュータ本体２１０は、ＣＰＵ，メモリ，インターフェースを有する。ＣＰＵは、コンピュータ装置の全体の制御を司る。メモリは、ＲＯＭ，ＲＡＭ，ＨＤ，光ディスク２１１，フラッシュメモリから構成される。メモリはＣＰＵのワークエリアとして使用される。
【００４７】
また、メモリには各種プログラムが格納されており、ＣＰＵからの命令に応じてロードされる。ＨＤおよび光ディスク２１１はディスクドライブによりデータのリード／ライトが制御される。また、光ディスク２１１およびフラッシュメモリはコンピュータ本体２１０に対し着脱自在である。インターフェースは、入力装置２２０からの入力、出力装置２３０への出力、ネットワーク１４０に対する送受信の制御をおこなう。
【００４８】
また、入力装置２２０としては、キーボード２２１、マウス２２２、スキャナ２２３などがある。キーボード２２１は、文字、数字、各種指示などの入力のためのキーを備え、データの入力をおこなう。また、タッチパネル式であってもよい。マウス２２２は、カーソルの移動や範囲選択、あるいはウィンドウの移動やサイズの変更などをおこなう。スキャナ２２３は、画像を光学的に読み取る。読み取られた画像は画像データとして取り込まれ、コンピュータ本体２１０内のメモリに格納される。なお、スキャナ２２３にＯＣＲ機能を持たせてもよい。
【００４９】
また、出力装置２３０としては、ディスプレイ２３１、スピーカ２３２、プリンタ２３３などがある。ディスプレイ２３１は、カーソル、アイコンあるいはツールボックスをはじめ、文書、画像、機能情報などのデータを表示する。また、スピーカ２３２は、効果音や読み上げ音などの音声を出力する。また、プリンタ２３３は、画像データや文書データを印刷する。
【００５０】
（周波数テーブル１２０のデータ構造）
ここで、図１に示した周波数テーブル１２０のデータ構造について説明する。図３は、周波数テーブル１２０のデータ構造の一例を示す説明図である。図３において、周波数テーブル１２０には、ローカル放送局Ｂ１〜Ｂｎごとに、周波数情報３００−１〜３００−ｎが格納されている。
【００５１】
周波数情報３００−１〜３００−ｎは、ローカル放送局の放送エリアを特定する地点情報を保持しており、ローカル放送局ごとに、放送周波数（ＭＨｚ）、店舗名、優先度、会員クラスおよび放送内容に関する情報を有している。地点情報は、ローカル放送局の設置地点を示す座標情報であってもよく、また、放送エリアを示すエリア情報であってもよい。
【００５２】
放送周波数は、各ローカル放送局から放送されるローカル放送波の周波数（ＭＨｚ）である。店舗名は、ローカル放送を利用して宣伝広告を放送している店舗の名称である。優先度は、ローカル放送局の放送周波数が複数存在する、あるいは、同一地点情報によって特定される放送エリアが複数存在する場合に、各放送周波数の優先度をあらわす指標である。
【００５３】
たとえば、ショッピングモール１５０が複数階構造による商業施設であり、一つの地点情報によって特定されるローカル放送局の放送周波数が複数存在する場合には、各放送周波数の優先度をあらわす指標を任意に設定することができる。
【００５４】
会員クラスは、ローカル放送を利用して宣伝広告を放送している店舗の会員の会員種別をあらわす情報である。会員種別は、たとえば、会員であるユーザの性別、年齢、職業および嗜好などによって分けられる。放送内容は、ローカル放送の放送内容の概要をあらわす情報であり、各店舗のフロア情報なども含まれていてもよい。
【００５５】
ここで、周波数情報３００−１を例に挙げると、ローカル放送局Ｂ１は、複数の放送周波数「ａａａ」および「ｂｂｂ」を有している。放送周波数「ａａａ」は、店舗Ｓ１の宣伝広告を放送するローカル放送の放送周波数であり、優先度が「１０」、会員クラスが「クラスＡ」、放送内容が「セール情報ａ」である。
【００５６】
また、放送周波数「ｂｂｂ」は、店舗Ｓ２の宣伝広告を放送するローカル放送の放送周波数であり、優先度が「８」、会員クラスが「クラスＢ」、放送内容が「セール情報ｂ」である。ここでは、放送周波数「ａａａ」の優先度が「１０」であり、放送周波数「ｂｂｂ」の優先度が「８」であるため、店舗Ｓ２の宣伝広告よりも店舗Ｓ１の宣伝広告のほうが優先度が高いこととなる。
【００５７】
（販売情報ＤＢ１３０の記憶内容）
ここで、図１に示した販売情報ＤＢ１３０の記憶内容について説明する。図４は、販売情報ＤＢ１３０の記憶内容の一例を示す説明図である。図４において、販売情報ＤＢ１３０には、店舗Ｓ１〜Ｓｎごとに、販売情報４００−１〜４００−ｎが格納されている。
【００５８】
販売情報４００−１〜４００−ｎは、ショッピングモール１５０内の各店舗で販売されている商品ごとに、商品名、放送期間および販売数量に関する情報を有している。商品名は、各店舗で販売されている商品の名称である。放送期間は、ローカル放送を利用して商品に関する宣伝広告が放送された期間（日時）をあらわしている。販売数量は、ローカル放送の放送中に販売された商品の数量である。
【００５９】
ここで、店舗Ｓ１を例に挙げると、商品Ａについて、放送期間が「２００８／１／２４，１０：００〜１２：００」であり、販売数量が「１５」である。また、商品名Ｂについて、放送期間が「２００８／１／２４，１２：００〜」であり、販売数量が「５」である。なお、放送時間が「１２：００〜」となっているのは、商品Ｂに関する宣伝広告が継続して放送されていることをあらわしている。
【００６０】
（移動体通信端末および情報処理装置の機能的構成）
つぎに、この発明の実施の形態にかかる移動体通信端末５１０および情報処理装置５２０，５３０の機能的構成について説明する。図５は、この発明の実施の形態にかかる移動体通信端末５１０および情報処理装置５２０，５３０の機能的構成を示すブロック図である。なお、図１に示した、携帯電話端末１０１は移動体通信端末５１０に相当し、情報処理装置１０２は情報処理装置５２０に相当し、また、ホストコンピュータ１０３は情報処理装置５３０に相当する。
【００６１】
以下に説明する各機能は、メモリに格納された当該機能に関するプログラムをＣＰＵに実行させることにより、当該機能を実現することができる。また、各機能からの出力データはメモリに保持される。また、図５中矢印で示した接続先の機能的構成は、接続元の機能からの出力データをメモリから読み込んで、当該機能に関するプログラムをＣＰＵに実行させる。
【００６２】
図５において、移動体通信端末５１０は、設定部５１１と、取得／送信部５１２と、受信部５１３と、制御部５１４と、出力部５１５と、選択部５１６と、入力部５１７と、を備えている。移動体通信端末５１０は、各地に点在するローカル放送局の放送エリア内でローカル放送波を受信可能であり、ローカル放送局の放送エリアおよび放送周波数に関する情報を管理する情報処理装置５２０とネットワーク１４０を介して相互に通信可能である。
【００６３】
ローカル放送とは、微弱電波を使用して、一定の地域を放送エリアとして放送されるラジオ放送やテレビジョン放送であり、各地に点在するローカル放送局から放送される。ローカル放送としては、たとえば、地上デジタル放送でおこなわれる移動体向けのワンセグ放送などが挙げられる。
【００６４】
まず、設定部５１１は、端末本体の受信周波数を設定する機能を有する。具体的には、移動体通信端末５１０のチューナーが受信する周波数の周波数帯を設定する。
【００６５】
取得／送信部５１２は、端末本体の現在地点情報を取得し、その現在位置情報を情報処理装置５２０に送信する機能を有している。現在地点情報は、端末本体、すなわち移動体通信端末５１０の現在地点を特定する情報であり、移動体通信端末５１０が可搬型の携帯電話端末（たとえば、携帯電話端末１０１）である場合には、携帯電話端末を使用するユーザの現在地点を特定する。
【００６６】
具体的には、たとえば、移動体通信端末５１０に搭載されたＧＰＳユニットにおいて、ＧＰＳ衛星からの受信波や移動体通信端末５１０に設けられた各種センサからの出力値などを用いて算出される。現在地点情報は、より具体的には、たとえば、緯度・経度、高度などの地図データ上の１点を特定する情報である。
【００６７】
受信部５１３は、取得／送信部５１２によって現在地点情報が送信された結果、当該現在地点情報によって特定される地点が属する放送エリアのローカル放送局の放送周波数に関する情報を情報処理装置５２０から受信する機能を有している。受信部５１３によって受信された放送周波数に関する情報はメモリに記憶される。
【００６８】
具体的には、たとえば、移動体通信端末５１０の現在地点がローカル放送局Ｂｉの放送エリア内に属している場合、ローカル放送局Ｂｉの放送周波数（ＭＨｚ）をあらわす情報を受信することとなる。また、ローカル放送局Ｂｉの放送周波数（ＭＨｚ）とともに、ローカル放送の放送内容をあらわす情報を受信することとしてもよい。
【００６９】
制御部５１４は、受信部５１３によって放送周波数に関する情報が受信された場合、設定部５１１を制御して、端末本体の受信周波数を受信した情報によって特定される放送周波数に設定する機能を有している。具体的には、制御部５１４は、メモリから放送周波数に関する情報を読み出して、その情報によって特定される放送周波数に移動体通信端末５１０のチューナーが受信する周波数の周波数帯を設定する。
【００７０】
受信部５１３は、さらに、ローカル放送局の放送周波数の優先度に関する情報を受信することとしてもよい。受信部５１３によって受信された優先度に関する情報はメモリに記憶される。放送周波数の優先度は、現在地点情報によって特定される地点が属する放送エリアのローカル放送局の放送周波数が複数存在する場合に、各放送周波数の優先度をあらわす指標である。
【００７１】
また、制御部５１４は、受信部５１３によって受信された優先度に関する情報に基づいて、端末本体の受信周波数を受信した情報によって特定される放送周波数に設定することとしてもよい。具体的には、制御部５１４は、メモリから放送周波数および優先度に関する情報を読み出して、その優先度に基づく放送周波数に移動体通信端末５１０のチューナーが受信する周波数の周波数帯を設定する。
【００７２】
より具体的には、現在地点情報によって特定される地点が属する放送エリアのローカル放送局の放送周波数が複数存在する場合、移動体通信端末５１０のチューナーが受信する周波数の周波数帯を、優先度が最も高い放送周波数に設定することとしてもよい。
【００７３】
また、一定時間ごとに、優先度の高い順に切り換えて設定していくこととしてもよい。この場合、一定時間ごとに、端末本体の受信周波数が優先度の高い順に切り替わることとなり、その都度、各放送周波数に応じたローカル放送波を受信することとなる。
【００７４】
出力部５１５は、受信部５１３によって受信された放送周波数に関する情報を出力する機能を有する。具体的には、出力部５１５は、メモリから放送周波数に関する情報を読み出して、その情報を端末本体のディスプレイ２３１やスピーカ２３２などの出力装置２３０（図２参照）に出力する。
【００７５】
また、出力部５１５は、受信部５１３によって受信された放送周波数の優先度に関する情報に基づいて、当該放送周波数に関する情報を出力装置２３０に出力することとしてもよい。放送周波数に関する情報の出力結果（画面例）については図８を用いて後述する。
【００７６】
選択部５１６は、出力部５１５によって放送周波数に関する情報が出力された結果、当該放送周波数に関する情報によって特定される複数の放送周波数の中から任意の放送周波数の選択を受け付ける機能を有する。具体的には、キーボード２２１やマウス２２２などの入力装置２２０を用いて入力される放送周波数の選択を受け付ける。選択部５１６によって受け付けた選択結果はメモリに記憶される。
【００７７】
また、制御部５１４は、選択部５１６によって任意の放送周波数の選択を受け付けた場合、端末本体の受信周波数を選択部５１６によって選択された放送周波数に設定することとしてもよい。具体的には、制御部５１４は、メモリから選択結果を読み出して、その選択結果によって特定される放送周波数に端末本体の受信周波数を設定する。
【００７８】
入力部５１７は、ローカル放送局を選局する選局指示を受け付ける機能を有する。具体的には、キーボード２２１やマウス２２２などの入力装置２２０を用いて選局指示を受け付ける。入力部５１７によって受け付けた選局指示はメモリに記憶される。選局指示の操作例については図６を用いて後述する。
【００７９】
また、取得／送信部５１２は、入力部５１７によって選局指示を受け付けた場合、端末本体の現在地点情報を情報処理装置５２０に送信することとしてもよい。具体的には、取得／送信部５１２は、メモリから選局指示を読み出したあと、さらに、メモリから現在地点情報を読み出して、その現在地点情報を情報処理装置５２０に送信する。
【００８０】
取得／送信部５１２は、端末本体の識別情報と関連付けて現在地点情報を情報処理装置５２０に送信することとしてもよい。端末本体の識別情報は、たとえば、当該端末本体を特定する識別ＩＤや端末本体の利用者を特定する識別ＩＤなどである。また、ローカル放送を利用して宣伝広告をおこなっている店舗の会員であることを示す会員ＩＤなどであってもよい。
【００８１】
また、受信部５１３は、取得／送信部５１２によって送信された識別情報によって特定される放送周波数であり、かつ、現在地点情報によって特定される地点が属する放送エリアのローカル放送局の放送周波数である放送周波数に関する情報を受信することとしてもよい。たとえば、識別情報としてある商業施設の会員であることを示す会員ＩＤを送信した場合、その会員ＩＤによって特定される会員クラスに応じた放送周波数に関する情報を受信する。
【００８２】
これにより、利用者の年齢、性別、嗜好にあわせた放送内容のローカル放送を放送している放送周波数に関する情報を受信することができる。移動体通信端末５１０は、ラジオ放送波またはテレビジョン放送波を受信可能な携帯電話端末であってもよい。
【００８３】
つぎに、図５において、情報処理装置５２０は、周波数テーブル１２０と、受信部５２１と、読出部５２２と、送信部５２３と、を備えている。情報処理装置５２０は、各地のローカル放送局の放送エリアを特定する地点情報と、ローカル放送局の放送周波数とを関連付けて記憶するテーブルを有し、ローカル放送局の放送エリア内でローカル放送波を受信可能な移動体通信端末５１０と相互に通信可能である。
【００８４】
まず、受信部５２１は、移動体通信端末５１０から端末本体の現在地点情報を受信する機能を有している。受信部５２１によって受信された現在地点情報はメモリに記憶される。また、受信部５２１は、移動体通信端末５１０の識別情報が関連付けられた端末本体の現在地点情報を受信することとしてもよい。
【００８５】
読出部５２２は、受信部５２１によって受信された現在地点情報を用いて、各地のローカル放送局の放送エリアを特定する地点情報と、ローカル放送局の放送周波数とを関連付けて記憶するテーブルを参照することにより、受信した現在地点情報によって特定される地点が属する放送エリアのローカル放送局の放送周波数に関する情報を読み出す機能を有している。
【００８６】
具体的には、たとえば、読出部５２２は、メモリから現在地点情報を読み出して、その現在地点情報によって特定される地点が属する放送エリアのローカル放送局の放送周波数に関する情報を図３に示した周波数テーブル１２０から読み出す。読出部５２２によって読み出された放送周波数に関する情報はメモリに記憶される。
【００８７】
送信部５２３は、読出部５２２によって読み出された放送周波数に関する情報を移動体通信端末５１０に送信する機能を有している。具体的には、送信部５２３は、メモリから放送周波数に関する情報を読み出して、その情報を現在地点情報の送信元の移動体通信端末５１０に送信する。
【００８８】
また、読出部５２２は、現在地点情報によって特定される地点が属する放送エリアのローカル放送局の放送周波数に関する情報とともに、現在地点情報によって特定される地点が属する放送エリアのローカル放送局の放送周波数の優先度に関する情報を読み出すこととしてもよい。
【００８９】
具体的には、たとえば、読出部５２２は、メモリから現在地点情報を読み出して、その現在地点情報によって特定される放送周波数に関する情報とともに、その放送周波数の優先度に関する情報を図３に示した周波数テーブル１２０から読み出す。読出部５２２によって読み出された放送周波数の優先度に関する情報は、その放送周波数に関する情報に関連付けてメモリに記憶される。
【００９０】
また、送信部５２３は、読出部５２２によって読み出された放送周波数に関する情報および優先度に関する情報を移動体通信端末５１０に送信することとしてもよい。具体的には、送信部５２３は、メモリから放送周波数に関する情報およびその放送周波数の優先度に関する情報を読み出して、これらの情報を現在地点情報の送信元の移動体通信端末５１０に送信する。
【００９１】
また、送信部５２３は、受信部５２１によって移動体通信端末５１０の識別情報が関連付けられた端末本体の現在地点情報が受信された場合、その識別情報によって特定され、かつ、現在地点情報によって特定される放送周波数に関する情報を移動体通信端末５１０に送信することとしてもよい。さらに、送信部５２３は、移動体通信端末５１０の識別情報をＰＯＳシステムのホストコンピュータ（たとえば、情報処理装置５３０）に送信することとしてもよい。
【００９２】
ＰＯＳ（Ｐｏｉｎｔ  Ｏｆ  Ｓａｌｅｓ  ｓｙｓｔｅｍ）システムとは、各店舗に設置された端末装置により、商品を販売するごとに商品の販売情報を記録し、集計結果を在庫管理やマーケティング材料として用いるシステムのことである。ホストコンピュータは、各端末装置によって記録された販売情報を一括管理するコンピュータ装置である。ホストコンピュータとして、後述する情報処理装置５３０を適用することができる。
【００９３】
つぎに、図５において、情報処理装置５３０は、販売情報ＤＢ１３０と、取得部５３１と、判定部５３２と、送信部５３３と、受信部５３４と、を備えている。情報処理装置５２０は、ＰＯＳシステムのホストコンピュータ装置などに備えられたコンピュータ装置であり、ネットワーク１４０を介して情報処理装置５２０と相互に通信可能である。
【００９４】
まず、取得部５３１は、ローカル放送局の放送エリア内に存在する商業施設に関する宣伝広告を放送内容とするローカル放送の放送中に、商業施設内で販売された商品の販売数量を取得する機能を有している。具体的には、たとえば、取得部５３１は、商業施設内の各店舗に設置されているＰＯＳシステムの端末装置から、ローカル放送の放送中に販売された商品の販売数量を取得する。取得部５３１によって取得された販売数量に関する情報はメモリに記憶される。
【００９５】
判定部５３２は、取得部５３１によって取得された商品の販売数量に基づいて、当該商品の宣伝広告を放送内容とするローカル放送を継続して放送するか否かを判定する機能を有している。具体的には、判定部５３２は、メモリから商品の販売数量に関する情報を読み出し、その販売数量に基づいて、商品の宣伝広告を放送内容とするローカル放送を継続して放送するか否かを判定する。判定部５３２の判定結果はメモリに記憶される。
【００９６】
より具体的には、たとえば、販売数量が予め設定された所定のしきい値以上であるか否かを判断し、その結果、販売数量が予め設定されたしきい値以上となった場合に、ローカル放送を継続して放送すると判定する。また、商品の販売数量に関する情報をディスプレイ２３１に表示して、情報処理装置５３０のユーザに提示し、継続して放送するか否かの判断を受け付けることとしてもよい。
【００９７】
送信部５３３は、判定部５３２の判定結果をローカル放送の放送内容を管理するコンピュータ装置に送信する機能を有する。具体的には、送信部５３３は、メモリから判定結果を読み出して、その判定結果をローカル放送の放送内容を管理するコンピュータ装置に送信する。
【００９８】
ローカル放送の放送内容を管理するコンピュータ装置とは、たとえば、各ローカル放送局に設置されており、ローカル放送の放送内容を決定する管理者が使用するコンピュータ装置である。管理者は、情報処理装置５３０から送信されてくる判定結果から現在放送中のローカル放送の宣伝効果を判断し、放送内容を変更するか否かを決定することができる。
【００９９】
受信部５３４は、ローカル放送局の放送周波数に関する情報の送信要求を受け付ける情報処理装置５２０から送信要求の送信元の移動体通信端末５１０の識別情報を受信する機能を有している。受信部５３４によって受信された識別情報はメモリに記憶される。
【０１００】
また、取得部５３１は、商品と当該商品を購入した購入者の移動体通信端末５１０の識別情報とが関連付けられた商品の販売数量を取得することとしてもよい。取得部５３１によって取得された識別情報が関連付けられた商品の販売数量に関する情報はメモリに記憶される。
【０１０１】
判定部５３２は、送信元の移動体通信端末５１０の識別情報と、購入者の移動体通信端末５１０の識別情報とを用いて、送信元の移動体通信端末５１０の利用者によって購入された商品の販売数量を算出することにより、商品の宣伝広告を放送内容とするローカル放送を継続して放送するか否かを判定することとしてもよい。
【０１０２】
具体的には、判定部５３２は、メモリから識別情報が関連付けられた商品の販売数量に関する情報を読み出して、その販売数量に基づいて、商品の宣伝広告を放送内容とするローカル放送を継続して放送するか否かを判定する。すなわち、商品のすべての販売数量に対するローカル放送の視聴者によって購入された商品の販売数量の割合を算出することにより、実際の宣伝効果の指標となる値を算出し、その算出結果を用いてローカル放送を継続して放送するか否かを判定する。
【０１０３】
作成部５３５は、送信元の移動体通信端末５１０の利用者によって購入された商品の販売数量を多い順に並び替えることにより、商業施設内で販売された商品の商品リストを作成する機能を有している。商品リストは、商業施設内で販売されている複数の商品について、ローカル放送の視聴者によって購入された各商品の販売数量を多い順にソートして示すリストである。作成部５３５によって作成された商品リストはメモリに記憶される。
【０１０４】
また、送信部５３３は、作成部５３５によって作成された商品リストをローカル放送の放送内容を管理するコンピュータ装置に送信することとしてもよい。具体的には、送信部５３３は、メモリから商品リストを読み出して、その商品リストをローカル放送の放送内容を管理するコンピュータ装置に送信する。
【０１０５】
（携帯電話端末１０１の操作例）
つぎに、図１に示した携帯電話端末１０１（移動体通信端末５１０）の操作例について説明する。図６は、この発明の実施の形態にかかる携帯電話端末１０１の正面図である。図６において、携帯電話端末１０１は、表示画面６０１（ディスプレイ２３１）を有しており、各ローカル放送局の放送エリア内でローカル放送波を受信し、そのローカル放送を再生することができる。
【０１０６】
まず、ユーザが視聴ボタン６０２を押下すると、現在位置の属する放送エリア内で視聴可能なローカル放送を放送しているローカル放送局の選局をおこなうことができる。具体的には、視聴ボタン６０２を押下すると、入力部５１７（図５参照）により、ローカル放送局を選局する選局指示を受け付ける。
【０１０７】
そして、携帯電話端末１０１の現在位置情報が情報処理装置１０２（図１参照）に送信され、その結果、現在視聴可能なローカル放送局の放送周波数に関する情報を受信し、自動的に端末本体の受信周波数がその放送周波数に設定されることとなる。
【０１０８】
また、カーソルボタン６０３を操作すると、表示画面６０１に表示されるカーソル（不図示）などを任意の方向に移動させることができ、放送周波数の選択操作などをおこなうことができる。そして、決定ボタン６０４を押下すると、各種の決定入力をおこなうことができる。具体的には、たとえば、カーソルボタン６０３を操作して決定ボタン６０４を押下すると、選択部５１６により、複数の放送周波数の中から任意の放送周波数の選択を受け付ける。
【０１０９】
（表示画面６０１の画面例）
つぎに、携帯電話端末１０１の表示画面６０１に表示される画面例について説明する。以下に説明する画面例は、たとえば、携帯電話端末１０１の視聴ボタン６０２を押下した場合に表示画面６０１に表示される画面例である。
【０１１０】
図７は、表示画面６０１の画面例を示す説明図（その１）である。図７において、表示画面６０１には、ショッピングモール１５０内の店舗に関する宣伝広告を放送内容とするローカル放送が表示されている。具体的には、店舗「Ｓ１」内で販売されている「日替わり弁当」に関する宣伝広告が表示されている。
【０１１１】
視聴ボタン６０２（図６参照）を押下すると、端末本体の現在位置が属する放送エリア内で視聴可能なローカル放送局が自動的に選局されることとなり、ユーザはローカル放送を視聴することができる。
【０１１２】
図８は、表示画面６０１の画面例を示す説明図（その２）である。ここでは、携帯電話端末１０１の現在位置が属する放送エリア内で視聴可能なローカル放送局の放送周波数が複数存在する場合に表示画面６０１に表示される表示例について説明する。図８において、表示画面６０１には、現在視聴可能なローカル放送局の周波数リスト８００が表示されている。
【０１１３】
周波数リスト８００には、ローカル放送局Ｂ１の放送周波数に関する情報が各放送周波数の優先度の高い順に表示されている。具体的には、ショッピングモール１５０内の１Ｆの店舗Ｓ１に関する宣伝広告を放送内容とするローカル放送の放送周波数に関する項目８１０および２Ｆの店舗Ｓ２に関する宣伝広告を放送内容とするローカル放送の放送周波数に関する項目８２０が表示されている。
【０１１４】
ユーザは、カーソルボタン６０３を操作することにより、任意の放送周波数を選択することができる。具体的には、カーソルボタン６０３を操作することにより、任意の項目（項目８１０）を選択することができ、選択された状態、すなわち、反転表示された状態で決定ボタン６０４を押下すると、その放送周波数が選択されることとなる。なお、キャンセルボタン８３０を押下すると、表示画面６０１が通常の表示状態に移行する。
【０１１５】
（ローカル放送システムのシステム概要）
つぎに、この発明の実施の形態にかかるローカル放送システム１００のシステム概要について説明する。図９は、この発明の実施の形態にかかるローカル放送システム１００のシステム概要を示す説明図である。ここでは、ローカル放送を利用して宣伝広告がおこなわれている商品Ａが購入された場合を例に挙げて説明する。
【０１１６】
図９において、まず、情報処理装置１０２は、商品Ａに関する宣伝広告を放送しているローカル放送局の放送エリア内に存在しているユーザ（顧客）の携帯電話端末１０１から、端末本体の識別ＩＤが関連付けられた現在地点情報を受信すると、その現在地点情報をホストコンピュータ１０３に送信する（１）。
【０１１７】
このあと、店舗Ｓ１において、商品Ａが購入されると、ＰＯＳシステムの端末装置９１０からホストコンピュータ１０３に商品Ａの販売情報が送信される（２）。このときホストコンピュータ１０３に送信される販売情報には、商品Ａを購入した顧客の識別ＩＤが関連付けられている。
【０１１８】
なお、携帯電話端末１０１の識別情報は、たとえば、顧客が使用する携帯電話端末１０１を端末装置９１０の読取装置９２０にかざすことにより入力されることとしてもよい。また、店舗Ｓ１の会員であることを示す会員カードを提示し、その会員カードに示されている識別情報を端末装置９１０に入力することとしてもよい。
【０１１９】
つぎに、ホストコンピュータ１０３は、情報処理装置１０２から送信されてくる情報、および端末装置９１０から送信されてくる情報に基づいて、商品Ａの宣伝広告を放送内容とするローカル放送を継続して放送するか否かを判定し、その判定結果をローカル放送局のコンピュータ装置９３０に送信する（３）。
【０１２０】
このように、判定結果をローカル放送の放送内容を管理するコンピュータ装置９３０に送信することにより、コンピュータ装置９３０の管理者は、ローカル放送による宣伝効果がどの程度あったのかを判断することができ、より宣伝効果の高いローカル放送を放送することができる。
【０１２１】
（移動体通信端末５１０の選局処理手順）
つぎに、この発明の実施の形態にかかる移動体通信端末５１０において実行される選局処理手順について説明する。図１０は、この発明の実施の形態にかかる移動体通信端末５１０において実行される選局処理手順を示すフローチャートである。
【０１２２】
図１０のフローチャートにおいて、まず、入力部５１７により、ローカル放送局を選局する選局指示を受け付けたか否かを判断する（ステップＳ１００１）。ここで、選局指示を受け付けるのを待って（ステップＳ１００１：Ｎｏ）、受け付けた場合（ステップＳ１００１：Ｙｅｓ）、取得／送信部５１２により、端末本体の現在地点情報を取得し（ステップＳ１００２）、端末本体の識別情報と関連付けて、その現在地点情報を情報処理装置５２０に送信する（ステップＳ１００３）。
【０１２３】
このあと、受信部５１３により、現在地点情報によって特定される地点が属する放送エリアのローカル放送局の放送周波数に関する情報を情報処理装置５２０から受信する（ステップＳ１００４）。このとき、受信部５１３により、ローカル放送局の放送周波数の優先度に関する情報をあわせて受信することとしてもよい。そして、出力部５１５により、その放送周波数に関する情報を出力する（ステップＳ１００５）。
【０１２４】
このあと、選択部５１６により、放送周波数に関する情報によって特定される複数の放送周波数の中から任意の放送周波数の選択を受け付けたか否かを判断する（ステップＳ１００６）。ここで、任意の放送周波数の選択を受け付けるのを待って（ステップＳ１００６：Ｎｏ）、受け付けた場合（ステップＳ１００６：Ｙｅｓ）、制御部５１４により、設定部５１１を制御して、端末本体の受信周波数を選択された放送周波数に設定して（ステップＳ１００７）、本フローチャートによる一連の処理を終了する。
【０１２５】
なお、ステップＳ１００４において放送周波数に関する情報を受信したあと、当該情報が複数の放送周波数に関する情報であるか否かを判断するステップを追加し、その結果、一つの放送周波数に関する情報であると判断された場合には、ステップＳ１００７に移行し、端末本体の受信周波数をその放送周波数に設定することとしてもよい。
【０１２６】
また、ステップＳ１００４において、ローカル放送局の放送周波数の優先度に関する情報を受信した場合、このあとステップＳ１００７に移行して、端末本体の受信周波数を放送周波数の優先度に従って順に設定することとしてもよい。具体的には、たとえば、まず、優先度が最も高い放送周波数に設定し、その放送周波数によるローカル放送が終了すると、つぎに優先度が高い放送周波数に設定する。
【０１２７】
このように、この発明の実施の形態にかかる移動体通信端末５１０によれば、端末本体の受信周波数を当該端末本体の現在地点が属する放送エリアのローカル放送局の放送周波数に自動的に設定することができる。
【０１２８】
これにより、ユーザにより、ローカル放送局の放送周波数を認識し、かつ、移動体通信端末５１０の受信周波数をその放送周波数に合わせるなどの面倒な作業が不要となり、ユーザの利便性の向上を図ることができる。
【０１２９】
また、簡便な操作によって視聴可能なローカル放送局を自動的に選局できるため、ローカル放送を視聴する利用者の増加につながり、結果的に、ローカル放送を利用した商業施設などの宣伝効果の向上を図ることができる。
【０１３０】
（情報処理装置５２０の情報処理手順）
つぎに、この発明の実施の形態にかかる情報処理装置５２０において実行される情報処理手順について説明する。図１１は、この発明の実施の形態にかかる情報処理装置５２０において実行される情報処理手順を示すフローチャートである。
【０１３１】
図１１のフローチャートにおいて、まず、移動体通信端末５１０から端末本体の識別情報が関連付けられた当該端末本体の現在地点情報を受信したか否かを判断する（ステップＳ１１０１）。ここで、現在地点情報を受信するのを待って（ステップＳ１１０１：Ｎｏ）、受信した場合（ステップＳ１１０１：Ｙｅｓ）、読出部５２２により、現在地点情報を用いて周波数テーブル１２０を参照することにより（ステップＳ１１０２）、その現在地点情報によって特定される地点が属する放送エリアのローカル放送局の放送周波数に関する情報を読み出す（ステップＳ１１０３）。
【０１３２】
このあと、送信部５２３により、読出部５２２によって読み出された放送周波数に関する情報を移動体通信端末５１０に送信する（ステップＳ１１０４）。最後に、送信部５３３により、ステップＳ１１０１において受信された移動体通信端末５１０の識別情報を情報処理装置５３０に送信して（ステップＳ１１０５）、本フローチャートによる一連の処理を終了する。
【０１３３】
なお、ステップＳ１１０４およびステップＳ１１０５における処理は、同時並行して実行されてもよく、また、ステップＳ１１０５における処理のあと、ステップＳ１１０４における処理を実行することとしてもよい。
【０１３４】
このように、この発明の実施の形態にかかる情報処理装置５２０によれば、移動体通信端末５１０の現在地点で受信可能なローカル放送局の放送周波数に関する情報を移動体通信端末５１０に送信することができる。
【０１３５】
また、移動体通信端末５１０の識別情報によって特定されるローカル放送局の放送周波数に関する情報を送信することにより、移動体通信端末５１０の利用者に、当該利用者の年齢、性別、嗜好などに応じた放送内容のローカル放送を放送しているローカル放送局の放送周波数に関する情報を提供することができる。
【０１３６】
（情報処理装置５３０の情報処理手順）
つぎに、この発明の実施の形態にかかる情報処理装置５３０において実行される情報処理手順について説明する。図１２は、この発明の実施の形態にかかる情報処理装置５３０において実行される情報処理手順を示すフローチャートである。
【０１３７】
図１２のフローチャートにおいて、まず、受信部５３４により、ローカル放送局の放送周波数に関する情報の送信要求を受け付ける情報処理装置５２０から送信要求の送信元の移動体通信端末５１０の識別情報を受信する（ステップＳ１２０１）。
【０１３８】
このあと、取得部５３１により、ローカル放送局の放送エリア内に存在する商業施設に関する宣伝広告を放送内容とするローカル放送の放送中に、商業施設内で販売された商品の販売数量を取得する（ステップＳ１２０２）。この販売数量には、商品を購入した購入者の移動体通信端末５１０の識別情報が関連付けられている。
【０１３９】
つぎに、判定部５３２により、商品の宣伝広告を放送内容とするローカル放送を継続して放送するか否かを判定する判定処理を実行して（ステップＳ１２０３）、その判定結果をローカル放送の放送内容を管理するコンピュータ装置に送信して（ステップＳ１２０４）、本フローチャートによる一連の処理を終了する。なお、ステップＳ１２０４において、作成部５３５によって作成された商品リストをローカル放送の放送内容を管理するコンピュータ装置に送信することとしてもよい。
【０１４０】
ここで、上述したステップＳ１２０３における判定処理手順について説明する。図１３は、ステップＳ１２０３における判定処理手順を示すフローチャートである。図１３のフローチャートにおいて、送信元の移動体通信端末５１０の識別情報と、商品の購入者の移動体通信端末５１０の識別情報とを用いて、送信元の移動体通信端末５１０の利用者によって購入された商品の販売数量を算出する（ステップＳ１３０１）。
【０１４１】
つぎに、その算出結果が予め設定された所定のしきい値以上である否かを判断する（ステップＳ１３０２）。ここで、算出結果が所定のしきい値以上であった場合（ステップＳ１３０２：Ｙｅｓ）、商品の宣伝広告を放送内容とするローカル放送を継続して放送する判定結果を出力して（ステップＳ１３０３）、ステップＳ１２０４に移行する。
【０１４２】
また、ステップＳ１３０２において、算出結果が所定のしきい値未満であった場合（ステップＳ１３０２：Ｎｏ）、商品の宣伝広告を放送内容とするローカル放送を継続して放送しない判定結果を出力して（ステップＳ１３０４）、ステップＳ１２０４に移行する。
【０１４３】
このように、この発明の実施の形態にかかる情報処理装置５３０によれば、商業施設に関する宣伝広告の宣伝効果の有無を判定することができ、その判定結果をローカル放送の放送内容を管理する管理者に提供することができる。また、商業施設内で販売されている複数の商品のうち、ローカル放送を利用した宣伝広告の宣伝効果が高かった商品の商品リストをローカル放送の放送内容を管理する管理者に提供することができる。
【０１４４】
これにより、ローカル放送の放送内容を管理する管理者は、ローカル放送を利用した宣伝広告の宣伝効果がどの程度あったのかを判断することができる。この結果、たとえば、売れ行きの悪い商品の宣伝広告に替えて、人気のある商品の宣伝広告のみを放送することができるため、ローカル放送による宣伝効果を飛躍的に向上させることができるとともに、来客数の増加を図ることができる。
【０１４５】
さらに、人気のある商品を効率的に把握することにより、店舗内に宣伝効果の高い商品を優先的に陳列することができ、商品の在庫管理を効果的におこなうことができる。
【０１４６】
以上説明したように、選局プログラム、情報処理プログラム、該プログラムを記録した記録媒体、移動体通信端末、情報処理装置、選局方法および情報処理方法によれば、現在地点に応じた適切なローカル放送局を自動的に選局できる。
【０１４７】
なお、本実施の形態で説明した選局方法および情報処理方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【０１４８】
また、本実施の形態で説明した移動体通信端末５１０、情報処理装置５２０，５３０は、スタンダードセルやストラクチャードＡＳＩＣ(Ａｐｐｌｉｃａｔｉｏｎ  Ｓｐｅｃｉｆｉｃ  Ｉｎｔｅｇｒａｔｅｄ  Ｃｉｒｃｕｉｔ)などの特定用途向けＩＣ（以下、単に「ＡＳＩＣ」と称す。）やＦＰＧＡなどのＰＬＤ(Ｐｒｏｇｒａｍｍａｂｌｅ  Ｌｏｇｉｃ  Ｄｅｖｉｃｅ)によっても実現することができる。具体的には、たとえば、上述した移動体通信端末５１０、情報処理装置５２０，５３０の機能的構成（機能ブロックの各符号を入れる）をＨＤＬ記述によって機能定義し、そのＨＤＬ記述を論理合成してＡＳＩＣやＰＬＤに与えることにより、移動体通信端末５１０、情報処理装置５２０，５３０を製造することができる。
【０１４９】
（付記１）各地に点在するローカル放送局の放送エリア内でローカル放送波を受信可能であり、前記ローカル放送局の放送エリアおよび放送周波数に関する情報を管理する情報処理装置と相互に通信可能な移動体通信端末に実行させる選局プログラムであって、
前記端末本体の現在地点情報を前記情報処理装置に送信させる送信工程と、
前記送信工程によって前記現在地点情報が送信された結果、当該現在地点情報によって特定される地点が属する放送エリアのローカル放送局の放送周波数に関する情報を前記情報処理装置から受信させる受信工程と、
前記端末本体のチューナーを制御して、前記受信工程によって前記放送周波数に関する情報が受信された場合、前記端末本体の受信周波数を前記放送周波数に設定させる設定工程と、
をコンピュータに実行させることを特徴とする選局プログラム。
【０１５０】
（付記２）前記受信工程は、
さらに、前記ローカル放送局の放送周波数の優先度に関する情報を受信させ、
前記設定工程は、
前記受信工程によって受信された優先度に関する情報に基づいて、前記端末本体の受信周波数を前記放送周波数に設定させることを特徴とする付記１に記載の選局プログラム。
【０１５１】
（付記３）前記受信工程によって受信された放送周波数に関する情報を出力させる出力工程と、
前記出力工程によって前記放送周波数に関する情報が出力された結果、当該放送周波数に関する情報によって特定される複数の放送周波数の中から任意の放送周波数の選択を受け付けさせる選択工程と、前記コンピュータに実行させ、
前記設定工程は、
前記端末本体の受信周波数を前記選択工程によって選択された放送周波数に設定することを特徴とする付記１に記載の選局プログラム。
【０１５２】
（付記４）前記ローカル放送局を選局する選局指示を受け付けさせる入力工程を前記コンピュータに実行させ、
前記送信工程は、
前記入力工程によって前記選局指示を受け付けた場合、前記現在地点情報を前記情報処理装置に送信させることを特徴とする付記１〜３のいずれか一つに記載の選局プログラム。
【０１５３】
（付記５）前記送信工程は、
前記端末本体の識別情報と関連付けて前記現在地点情報を前記情報処理装置に送信させ、
前記受信工程は、
前記送信工程によって送信された識別情報によって特定され、かつ、前記現在地点情報によって特定される放送周波数に関する情報を受信させることを特徴とする付記１〜４のいずれか一つに記載の選局プログラム。
【０１５４】
（付記６）前記端末本体は、
ラジオ放送波またはテレビジョン放送波を受信可能な携帯電話端末であることを特徴とする付記１〜５のいずれか一つに記載の選局プログラム。
【０１５５】
（付記７）各地のローカル放送局の放送エリアを特定する地点情報と、前記ローカル放送局の放送周波数とを関連付けて記憶するテーブルを有し、前記ローカル放送局の放送エリア内でローカル放送波を受信可能な移動体通信端末と相互に通信可能な情報処理装置に実行させる情報処理プログラムであって、
前記移動体通信端末から当該移動体通信端末の現在地点情報を受信させる受信工程と、
前記受信工程によって受信された現在地点情報を用いて前記テーブルを参照することにより、前記現在地点情報によって特定される地点が属する放送エリアのローカル放送局の放送周波数に関する情報を読み出させる読出工程と、
前記読出工程によって読み出された放送周波数に関する情報を前記移動体通信端末に送信させる送信工程と、
をコンピュータに実行させることを特徴とする情報処理プログラム。
【０１５６】
（付記８）前記読出工程は、
さらに、前記現在地点情報によって特定される地点が属する放送エリアのローカル放送局の放送周波数の優先度に関する情報を読み出させ、
前記送信工程は、
前記読出工程によって読み出された放送周波数に関する情報および優先度に関する情報を前記移動体通信端末に送信させることを特徴とする付記７に記載の情報処理プログラム。
【０１５７】
（付記９）前記受信工程は、
前記移動体通信端末の識別情報が関連付けられた当該移動体通信端末の現在地点情報を受信させ、
前記送信工程は、
前記受信工程によって受信された識別情報によって特定され、かつ、前記現在地点情報によって特定される放送周波数に関する情報を前記移動体通信端末に送信させることを特徴とする付記７または８に記載の情報処理プログラム。
【０１５８】
（付記１０）前記送信工程は、
前記受信工程によって受信された移動体通信端末の識別情報をＰＯＳシステムのホストコンピュータ装置に送信させることを特徴とする付記９に記載の情報処理プログラム。
【０１５９】
（付記１１）ローカル放送局の放送エリア内に存在する商業施設に関する宣伝広告を放送内容とするローカル放送の放送中に、前記商業施設内で販売された商品の販売数量を取得させる取得工程と、
前記取得工程によって取得された商品の販売数量に基づいて、当該商品の宣伝広告を放送内容とするローカル放送を継続して放送するか否かを判定させる判定工程と、
前記判定工程の判定結果を前記ローカル放送の放送内容を管理するコンピュータ装置に送信させる送信工程と、
をコンピュータに実行させることを特徴とする情報処理プログラム。
【０１６０】
（付記１２）前記ローカル放送局の放送周波数に関する情報の送信要求を受け付ける情報処理装置から前記送信要求の送信元の移動体通信端末の識別情報を受信させる受信工程を前記コンピュータに実行させ、
前記取得工程は、
前記商品と当該商品を購入した購入者の移動体通信端末の識別情報とが関連付けられた前記商品の販売数量を取得させ、
前記判定工程は、
前記受信工程によって受信された送信元の移動体通信端末の識別情報と、前記取得工程によって取得された購入者の移動体通信端末の識別情報とを用いて、前記送信元の移動体通信端末の利用者によって購入された商品の販売数量を算出することにより、前記商品の宣伝広告を放送内容とするローカル放送を継続して放送するか否かを判定させることを特徴とする付記１１に記載の情報処理プログラム。
【０１６１】
（付記１３）
前記送信元の移動体通信端末の利用者によって購入された商品の販売数量を多い順に並び替えることにより、前記商業施設内で販売された商品の商品リストを作成させる作成工程を前記コンピュータに実行させ、
前記送信工程は、
前記作成工程によって作成された商品リストを前記コンピュータ装置に送信させることを特徴とする付記１２に記載の情報処理プログラム。
【０１６２】
（付記１４）付記１〜１３のいずれか一つに記載のプログラムを記録した前記コンピュータに読み取り可能な記録媒体。
【０１６３】
（付記１５）各地に点在するローカル放送局の放送エリア内でローカル放送波を受信可能であり、前記ローカル放送局の放送エリアおよび放送周波数に関する情報を管理する情報処理装置と相互に通信可能な移動体通信端末において、
前記端末本体の受信周波数を設定する設定手段と、
前記端末本体の現在地点情報を前記情報処理装置に送信する送信手段と、
前記送信手段によって前記現在地点情報が送信された結果、当該現在地点情報によって特定される地点が属する放送エリアのローカル放送局の放送周波数に関する情報を前記情報処理装置から受信する受信手段と、
前記受信手段によって前記放送周波数に関する情報が受信された場合、前記設定手段を制御して、前記端末本体の受信周波数を前記放送周波数に設定する制御手段と、
を備えることを特徴とする移動体通信端末。
【０１６４】
（付記１６）各地のローカル放送局の放送エリアを特定する地点情報と、前記ローカル放送局の放送周波数とを関連付けて記憶するテーブルを有し、前記ローカル放送局の放送エリア内でローカル放送波を受信可能な移動体通信端末と相互に通信可能な情報処理装置において、
前記移動体通信端末から当該移動体通信端末の現在地点情報を受信する受信手段と、
前記受信手段によって受信された現在地点情報を用いて前記テーブルを参照することにより、前記現在地点情報によって特定される地点が属する放送エリアのローカル放送局の放送周波数に関する情報を読み出す読出手段と、
前記読出手段によって読み出された放送周波数に関する情報を前記移動体通信端末に送信する送信手段と、
を備えることを特徴とする情報処理装置。
【０１６５】
（付記１７）ローカル放送局の放送エリア内に存在する商業施設に関する宣伝広告を放送内容とするローカル放送の放送中に、前記商業施設内で販売された商品の販売数量を取得する取得手段と、
前記取得手段によって取得された商品の販売数量に基づいて、当該商品の宣伝広告を放送内容とするローカル放送を継続して放送するか否かを判定する判定手段と、
前記判定手段の判定結果を前記ローカル放送の放送内容を管理するコンピュータ装置に送信する送信手段と、
を備えることを特徴とする情報処理装置。
【０１６６】
（付記１８）各地に点在するローカル放送局の放送エリア内でローカル放送波を受信可能な移動体通信端末から前記ローカル放送局の放送エリアおよび放送周波数に関する情報を管理する情報処理装置に前記移動体通信端末の現在地点情報を送信する送信工程と、
前記送信工程によって前記現在地点情報が送信された結果、当該現在地点情報によって特定される地点が属する放送エリアのローカル放送局の放送周波数に関する情報を前記情報処理装置から受信する受信工程と、
前記端末本体のチューナーを制御して、前記受信工程によって前記放送周波数に関する情報が受信された場合、前記端末本体の受信周波数を前記放送周波数に設定する設定工程と、
を含んだことを特徴とする選局方法。
【０１６７】
（付記１９）各地のローカル放送局の放送エリアを特定する地点情報と、前記ローカル放送局の放送周波数とを関連付けて記憶するテーブルを有する情報処理装置により、前記ローカル放送局の放送エリア内でローカル放送波を受信可能な移動体通信端末の現在地点情報を受信する受信工程と、
前記受信工程によって受信された現在地点情報を用いて前記テーブルを参照することにより、前記現在地点情報によって特定される地点が属する放送エリアのローカル放送局の放送周波数に関する情報を読み出す読出工程と、
前記読出工程によって読み出された放送周波数に関する情報を前記移動体通信端末に送信する送信工程と、
を含んだことを特徴とする情報処理方法。
【０１６８】
（付記２０）ローカル放送局の放送エリア内に存在する商業施設に関する宣伝広告を放送内容とするローカル放送の放送中に、前記商業施設内で販売された商品の販売数量を取得する取得工程と、
前記取得工程によって取得された商品の販売数量に基づいて、当該商品の宣伝広告を放送内容とするローカル放送を継続して放送するか否かを判定する判定工程と、
前記判定工程の判定結果を前記ローカル放送の放送内容を管理するコンピュータ装置に送信する送信工程と、
を含んだことを特徴とする情報処理方法。
【産業上の利用可能性】
【０１６９】
以上のように、本発明にかかる選局プログラム、情報処理プログラム、該プログラムを記録した記録媒体、移動体通信端末、情報処理装置、選局方法および情報処理方法は、移動体向けのローカル放送に有用であり、特に、ワンセグ放送に適している。
【図面の簡単な説明】
【０１７０】
【図１】この発明の実施の形態にかかるローカル放送システムのシステム構成を示す説明図である。
【図２】この発明の実施の形態にかかるコンピュータ装置のハードウェア構成を示すブロック図である。
【図３】周波数テーブルのデータ構造の一例を示す説明図である。
【図４】販売情報ＤＢの記憶内容の一例を示す説明図である。
【図５】この発明の実施の形態にかかる移動体通信端末および情報処理装置の機能的構成を示すブロック図である。
【図６】この発明の実施の形態にかかる携帯電話端末の正面図である。
【図７】表示画面の画面例を示す説明図（その１）である。
【図８】表示画面の画面例を示す説明図（その２）である。
【図９】この発明の実施の形態にかかるローカル放送システムのシステム概要を示す説明図である。
【図１０】この発明の実施の形態にかかる移動体通信端末において実行される選局処理手順を示すフローチャートである。
【図１１】この発明の実施の形態にかかる情報処理装置において実行される情報処理手順を示すフローチャートである。
【図１２】この発明の実施の形態にかかる情報処理装置において実行される情報処理手順を示すフローチャートである。
【図１３】ステップＳ１２０３における判定処理手順を示すフローチャートである。
【符号の説明】
【０１７１】
１００  ローカル放送システム
１０１  携帯電話端末
１０２  情報処理装置
１０３  ホストコンピュータ
１２０  周波数テーブル
１３０  販売情報ＤＢ
１５０  ショッピングモール
５１０  移動体通信端末
５１１  設定部
５１２  取得／送信部
５１３  受信部
５１４  制御部
５１５  出力部
５１６  選択部
５１７  入力部
５２０  情報処理装置
５２１  受信部
５２２  読出部
５２３  送信部
５３０  情報処理装置
５３１  取得部
５３２  判定部
５３３  送信部
５３４  受信部
５３５  作成部
【図１】
2008219112.tif 000003
【図２】
2008219112.tif 000004
【図３】
2008219112.tif 000005
【図４】
2008219112.tif 000006
【図５】
2008219112.tif 000007
【図６】
2008219112.tif 000008
【図７】
2008219112.tif 000009
【図８】
2008219112.tif 000010
【図９】
2008219112.tif 000011
【図１０】
2008219112.tif 000012
【図１１】
2008219112.tif 000013
【図１２】
2008219112.tif 000014
【図１３】
2008219112.tif 000015